(57)【特許請求の範囲】
【請求項１】
楽曲データベースに記録された楽曲データと、個人情報データベースに記録された前記楽曲データのメロディファイル名を含む個人情報とが記憶された記憶手段と、
マイクロフォンから入力された音声信号を楽曲データに変換する変換手段と、
前記変換手段から得られた楽曲データと前記記憶手段内の楽曲データとを比較して類似する楽曲データを検索する検索手段と、
前記検索された楽曲データに対する個人情報を前記記憶手段から読み出し表示する表示手段と、
前記楽曲データに基づく楽音を発生する楽音発生手段と、
を具備することを特徴とする情報端末装置。
【請求項２】
ユーザの指示に基づいて前記記憶手段内の楽曲データ及び前記楽曲データのメロディファイル名を含む個人情報を無線によって他の情報機器へ送信する送信手段を具備することを特徴とする請求項１に記載の情報端末装置。
【請求項３】
外部の情報機器から送信された、楽曲データ及び前記楽曲データのメロディファイル名を含む個人情報を受信し、前記記憶手段へ登録する受信手段を具備することを特徴とする請求項１または請求項２に記載の情報端末装置。
【請求項４】
前記受信手段は外部の情報機器から赤外線信号によって送信された個人情報を受信するものである請求項３に記載の情報端末装置。
【請求項５】
外部のダウンロードサーバへアクセスして楽曲データを前記記憶手段へダウンロードする手段を具備することを特徴とする請求項１〜請求項４のいずれかの項に記載の情報端末装置。
【請求項６】
外部の情報端末装置から前記記憶手段内に着信メロディのダウンロードを受ける手段を具備することを特徴とする請求項１〜請求項５のいずれかの項に記載の情報端末装置。
【発明の詳細な説明】
【０００１】
【発明の属する技術分野】
この発明は、個人情報管理機能を有する情報端末装置に関する。
【０００２】
【従来の技術】
周知のように、携帯情報端末（ＰＤＡ）や携帯電話には、個人情報のデータベースを作ることができるようになっており、そのデータベースには、名前、住所、電話番号、電子メールアドレス等が記録される。そして、そのデータベースの検索は、あいうえお順に並べての検索や、名前の入力によって行われる。また、最近の情報端末装置には、名前をスピーカから音声入力すると、内部の音声認識装置が入力された音声を認識し、認識した名前のデータをデータベースから検索するものも開発されている。
【０００３】
【発明が解決しようとする課題】
しかしながら、従来のこの種の情報端末装置にあっては、顔は覚えているが名前を忘れてしまったような場合に、検索しようがないという問題があった。
この発明は、このような事情を考慮してなされたもので、その目的は、個人名にメロディを関連付けることができ、これにより、名前等を忘れた場合にもメロディから容易にデータベースの検索を行うことができる情報端末装置を提供することにある。
【０００４】
【課題を解決するための手段】
この発明は上述した課題を解決すべくなされたもので、請求項１に記載の発明は、楽曲データベースに記録された楽曲データと、個人情報データベースに記録された前記楽曲データのメロディファイル名を含む個人情報とが記憶された記憶手段と、マイクロフォンから入力された音声信号を楽曲データに変換する変換手段と、前記変換手段から得られた楽曲データと前記記憶手段内の楽曲データとを比較して類似する楽曲データを検索する検索手段と、前記検索された楽曲データに対する個人情報を前記記憶手段から読み出し表示する表示手段と、前記楽曲データに基づく楽音を発生する楽音発生手段とを具備することを特徴とする情報端末装置である。
請求項２に記載の発明は、請求項１に記載の情報端末装置において、ユーザの指示に基づいて前記記憶手段内の楽曲データ及び前記楽曲データのメロディファイル名を含む個人情報を無線によって他の情報機器へ送信する送信手段を具備することを特徴とする。
【０００５】
請求項３に記載の発明は、請求項１または請求項２に記載の情報端末装置において、外部の情報機器から送信された、楽曲データ及び前記楽曲データのメロディファイル名を含む個人情報を受信し、前記記憶手段へ登録する受信手段を具備することを特徴とする。
請求項４に記載の発明は、請求項３に記載の情報端末装置において、前記受信手段は外部の情報機器から赤外線信号によって送信された個人情報を受信するものであることを特徴とする。
【０００６】
請求項５に記載の発明は、請求項１〜請求項４のいずれかの項に記載の情報端末装置において、外部のダウンロードサーバへアクセスして楽曲データを前記記憶手段へダウンロードする手段を具備することを特徴とする。
請求項６に記載の発明は、請求項１〜請求項５のいずれかの項に記載の情報端末装置において、外部の情報端末装置から前記記憶手段内に着信メロディのダウンロードを受ける手段を具備することを特徴とする。
【０００７】
【発明の実施の形態】
以下、図面を参照し、この発明の一実施の形態について説明する。図１は同実施の形態による情報端末装置１の構成を示すブロック図であり、図２は同情報端末装置１の機能ブロック図である。なお、この情報端末装置１はデータ通信機能付きのＰＤＡ（携帯情報端末装置）である。
【０００８】
図１において、符号２はＣＰＵ（中央処理装置）であり、装置各部を制御すると共に、後述するシーケンサ等として機能する。３はＣＰＵ２のプログラムが記憶されたＲＯＭ（リードオンリメモリ）、４はデータ記憶用の不揮発性ＲＡＭ（ランダムアクセスメモリ）である。ＲＡＭ４には、予め、複数の楽曲データが、ＭＩＤＩデータによって記憶されている。５はこの情報端末装置１を電話回線に接続する通信インターフェイス、６は赤外線インターフェイスである。この赤外線インターフェイス６は、ＣＰＵ２から供給されるデータを赤外線信号に変換して外部へ出力し、また、外部から受信した赤外線信号をディジタルデータに復調し、ＣＰＵ２へ出力する。
【０００９】
７は液晶パネルおよびその駆動回路からなる表示部であり、ＣＰＵ２から供給される表示データに基づく画像表示を行う。８はテンキー、アルファベットキー、ファンクションキーおよびキーインターフェイスから構成される操作部である。９は音声入力インターフェイスであり、マイクロフォン（図示略）から入力された音声をサンプリングしてディジタルデータに変換し、ＣＰＵ２へ出力する。１０は音源回路であり、ＣＰＵ２から供給される楽音パラメータに基づいてディジタル楽音波形を形成し、形成した楽音波形をアナログ信号に変換し、スピーカ（図示略）へ出力する。
【００１０】
次に、図２において、４ａはＲＡＭ４内に形成されるデータベースであり、個人情報データベースおよび楽曲データベースが含まれる。個人情報データベースには、図３に示すように、「名前」「住所」「電話番号」「メロディファイル名」が各々記録される。また、楽曲データベースには、複数の楽曲のＭＩＤＩデータが、各楽曲毎にメロディファイル名が付けられて記録される。２ａはＣＰＵ２によって実行されるシーケンサであり、データベース４ａ内の楽曲データベースの中の指定された楽曲データ（ＭＩＤＩデータ）を読み出し、楽音パラメータに変換し、音源回路１０へ出力する。音源回路１０はシーケンサ２ａから供給されるパラメータに基づいてディジタル楽音波形を形成し、スピーカ１１へ出力する。
【００１１】
１２は音声処理回路であり、音声入力インターフェイス９およびＣＰＵ２によって実行され、マイクロフォン（図示略）から入力された音声の処理を行う（詳細は後述す）。１３はインターネットを介して情報端末装置１と接続された楽曲データサーバであり、情報端末装置１からのリクエストを受けて楽曲データ（ＭＩＤＩデータ）を配信する。配信された楽曲データはデータベース４ａの楽曲データベースに記憶される。１４〜１６は情報端末装置１と同様に構成された情報端末装置であり、情報端末装置１と赤外線によってデータ通信を行う。
【００１２】
次に、上述した情報端末装置１の動作を説明する。
（１）個人情報入力
図４は、個人情報入力動作を示すフローチャートである。個人情報の入力を行おうとするユーザは、まず、操作部８のキーによって個人情報入力を指示する。この指示が行われると、ＣＰＵ２がそれを検知し、表示部７に各個人情報、すなわち、
名前、住所、電話番号
を入力するフィールドを表示する。
【００１３】
そして、ユーザが各フィールドに所定のデータを入力すると（図４のステップＳａ１）、ＣＰＵ２が入力されたデータをＲＡＭ４のワークエリア内に書き込む（ステップＳａ２）。次に、ＣＰＵ２は、ＲＡＭ４の楽曲データベース内に記憶されている楽曲データのリストを表示部７に表示すると共に、「メロディ選択をして下さい。」なるガイダンスを表示する。ここで、ユーザがカーソルによってリストの中の１つを選択すると（ステップＳａ３）、選択された楽曲データのファイル名がＲＡＭ４のワークエリアに書き込まれる（ステップＳａ４）。
【００１４】
次に、ＣＰＵ２は、設定された個人情報、すなわち、名前、住所、電話番号、メロディファイル名を表示部７に表示する。ユーザはその表示をチェックし（ステップＳａ５）、訂正する必要がある場合は、最初の時点またはメロディ入力時点へ戻って再入力を行う。また、訂正の必要がない場合は、「ＯＫ」を操作部８から入力する。この「ＯＫ」の入力が行われると、ＣＰＵ２がＲＡＭ４のワークエリア内の全データを個人情報データベース内に登録する（ステップＳａ６）。
【００１５】
（２）個人情報送信
この情報端末装置１は、ちょうど名刺交換のように、自らの個人情報を対面中の相手の情報端末装置へ送信することができるようになっている。図５はその場合の過程を示すフローチャートである。
【００１６】
この場合、情報端末装置１のユーザは、まず、個人情報送信を操作部８から指示する。この指示が行われると、ＣＰＵ２がＲＡＭ４内の個人情報データベースの各個人情報の「名前」のみを表示部７に一覧表示する。ユーザがカーソルによって個人名（例えば、自身の名）を選択すると（ステップＳｂ１）、ＣＰＵ２が選択された個人名の各個人情報をＲＡＭ４の個人情報データベースから読み出し、赤外線インターフェイス６へ出力し、次いで、その個人情報に含まれる「メロディファイル名」に基づいて楽曲データベース内にある楽曲データを読み出し、赤外線インターフェイス６へ出力する（ステップＳｂ２）。赤外線インターフェイス６は、それらの個人情報および楽曲データを赤外線信号に変換し、発信する（ステップＳｂ３）。
【００１７】
いま、情報端末装置１のユーザと情報端末装置１４のユーザが対面しているとすると、情報端末装置１から発信された赤外線信号は情報端末装置１４の赤外線インターフェイス６において受信される。情報端末装置１４の赤外線インターフェイス６は受信した赤外線信号を元の個人情報および楽曲データに復調し、ＣＰＵ２へ出力する（ステップＳｂ４）。ＣＰＵ２は、赤外線インターフェイス６から受けた個人情報をＲＡＭ４内の個人情報データベースに書き込み、次いで、楽曲データをファイル名を付して楽曲データベースに書き込む（ステップＳｂ５）。
【００１８】
（３）個人メロディ確認
情報端末装置１のユーザが、各個人に設定されているメロディを確認したい場合は、名前によるデータベース検索を行う。すなわち、ユーザが操作部８から個人情報データベース検索を指示すると、ＣＰＵ２が表示部７に、個人情報データベースに登録されている名前を一覧表示する。ユーザがカーソルによって名前を選択すると、ＣＰＵ２が選択された名前の個人情報を表示部７に表示する。次に、ＣＰＵ２は、その個人情報に含まれるメロディファイル名に基づいて楽曲データベースから楽曲データを読み出し、楽音パラメータに変換し、音源回路１０へ出力する。これにより、表示部７に表示されている個人情報に附属するメロディがスピーカ１１から発生する。なお、このメロディ発生はオフ／オフ設定可能になっている。
【００１９】
（４）メロディによる個人情報検索
この情報端末装置１は、マイクロフォンからメロディを例えばハミングによって入力することにより、個人情報を検索することができるようになっている。図６はこの場合の処理を示すフローチャートである。このメロディ検索を行う場合、ユーザは検索したい人のメロディをハミングによってマイクロフォンから入力する。ここで、検索したい人のメロディとは、個人情報データベースにその人の名前と共に登録されている「メロディファイル名」が指示する楽曲データのメロディである。
【００２０】
ユーザがマイクロフォンからメロディを入力すると（ステップＳｃ１）、音声入力インターフェイス９がマイクロフォンから入力された音声信号をサンプリングして音声データに変換し、次いで、その音声データのピッチの時間に対する変化を検出する。そして、その検出結果をＭＩＤＩデータに変換し、ＣＰＵ２へ出力する（ステップＳｃ２）。ＣＰＵ２は、供給されたＭＩＤＩデータをＲＡＭ４の楽曲データベース内の各楽曲データ（ＭＩＤＩデータ）と比較し（ステップＳｃ３）、入力された音声にほぼ一致するＭＩＤＩデータを検索する（ステップＳｃ４）。この場合、１回目に検索されなかった場合は、データの許容幅を変更して再検出を行う（ステップＳｃ５）。そして、検出できた時は、個人情報データベースから、そのＭＩＤＩデータのファイル名がメロディファイル名として登録されているデータを読み出し、表示部７に表示する（ステップＳｃ６）。一方、再検出（ステップＳｃ６）を行っても検出できなかった場合はエラー表示を行って処理を終了する（ステップＳｃ７）。
【００２１】
なお、上記実施形態において、ＲＡＭ４内の楽曲データベースは、サーバ１３（図２）にアクセスしてダウンロードしてもよく、また、ユーザが自分でマイクロフォンから入力してもよく、また、出荷時に工場においてプリセットしてもよく、また、他の携帯端末において着信メロディとして用いられている楽曲データを転送してもよく、さらに、パソコン等において楽譜の入力によってＭＩＤＩデータを形成し、そのデータを有線または赤外線によって転送してもよい。
また、この発明は、ＰＤＡだけでなく、携帯電話、ＰＨＳ（登録商標）等に適用することも勿論可能である。
【００２２】
【発明の効果】
以上説明したように、請求項１の発明によれば、マイクロフォンから入力された音声信号を楽曲データに変換し、該変換によって得られた楽曲データと前記記憶手段内の楽曲データとを比較して類似する楽曲データを検索し、検索された楽曲データに対応する個人情報を前記個人情報記憶手段から読み出し前記表示部へ出力する音声処理手段を具備するので、名前等を忘れた場合にもメロディから容易にデータベースの検索を行うことができる。
請求項２の発明によれば、個人情報を他の情報機器へ送信する送信手段を具備するので、個人情報に含まれるメロディによって個人のアピールを行うことができる。
【００２４】
請求項３の発明によれば、外部の情報機器から送信された、楽曲データを含む個人情報を受信し、前記記憶手段へ登録する受信手段を具備するので、個人情報の相互やり取りが可能になり、名刺代わりに個人情報のやり取りを行うことができる。
請求項５の発明によれば、外部のダウンロードサーバへアクセスして楽曲データを前記記憶手段へダウンロードする手段を具備するので、楽曲データを簡単に用意することができる。
請求項６の発明によれば、外部の携帯端末装置から前記記憶手段内に着信メロディのダウンロードを受ける手段を具備するので、楽曲データを簡単に用意することができる。
【図面の簡単な説明】
【図１】  この発明の一実施形態による情報端末装置の構成を示すブロック図である。
【図２】  同情報端末装置の機能を示す機能ブロック図である。
【図３】  図１のＲＡＭ４内に作成される個人情報データベースの一例を示す図である。
【図４】  同情報端末装置の個人情報入力動作を示すフローチャートである。
【図５】  同情報端末装置における個人情報転送の動作を示すフローチャートである。
【図６】  同情報端末装置におけるメロディ検索動作を示すフローチャートである。
【符号の説明】
１…情報端末装置、２…ＣＰＵ、３…ＲＯＭ、４…ＲＡＭ、５…通信インターフェイス、６…赤外線インターフェイス、７…表示部、８…操作部、９…音声入力インターフェイス、１０…音源回路、１１…スピーカ、１３…楽曲データサーバ、１４〜１６…情報端末装置。
【図１】
0003646699.tif 000002
【図２】
0003646699.tif 000003
【図３】
0003646699.tif 000004
【図４】
0003646699.tif 000005
【図５】
0003646699.tif 000006
【図６】
0003646699.tif 000007